(57)【要約】【課題】画びょうを取る器具は取った画びょうを打ち込む時に画びょうを取り出して手で持って打つので能率が悪く手も傷つけやすい。【解決手段】画びょうを取る部分と画びょうを打ち込む部分を同一箇所にしマガジンを設けて画びょうの収納数を増やすと共にハンドルの操作だけで全ての行程を行なえる様にし、マガジンを交換する事により更に画びょうを扱う数を増やして画びょうに手を触れなくても全てを行なえる様にした。【選択図】　図１
2004114672.tif 000002
【特許請求の範囲】
【請求項１】
打ち込み部分が画びょうを取る時に見えにくくならない様に打ち込み部を回転移動する様にした事、及び、画びょう収納数を増やす為にマガジンを設け画びょう収納数を増やし更にハンドルをにぎるだけで画びょうの打ち込み部へのセット、内部での画びょうの移動、マガジンの操作全てを行なえる様にした事。
【請求項２】
画びょう取り部で取った画びょうが次に取る画びょうの妨げにならない様、下部レールガイド（８）と上部レールガイド（９）に分けて下部レールガイド（８）の画びょうを上部レールガイド（９）前方に押し上げる押し上げバネを付け、更に上部レールガイド（９）前方に移動した画びょうを上部レールガイド（９）奥に移動させる画びょう送り兼安定板（１０）に取り付けた画びょう送りつめ（１２）により画びょうを上部ガイドレール（９）奥に移動させることを取ろうとしている画びょうで行うことが出来る装置
【請求項３】
画びょう打ち込み部は画びょう取り込み部を見えやすくする為打ち込み器（１）を回転支柱（３）（４）で支えて、支柱（３）に付けてある連接棒（１４）と画びょう送り主軸（２５）を介してハンドル（１８）をにぎる事により画びょう保持器（１）を画びょう取り面前方下部に回転移動させる装置
【請求項４】
上部ガイドレール（９）に取り込んだ画びょうを奥に送り込んだり出口方向に送り出す送りベルト（７）とベルト保持車（５）と（５１）及び（５１）を回転させる駆動歯車（５０）からなる装置
【請求項５】
画びょうを多く収納する為回転マガジンを設け内部の画びょう収納列に画びょう押さえ（３４）を付け、板ばね（４９）により画びょう押さえが画びょう押さえ移動板（２６）以外は移動しない様に安定板ばね（４９）で支え、画びょう押さえ（３４）を介してマガジンの回転を行ない、マガジンを回転させたり回転を止めたりする為にマガジン回転巻きバネ（３１）回転円盤（３２）、マガジンストッパー歯（３３）を付け及びそれを覆い更に本体に装着するレールを設けたカバーからなる装置
【請求項６】
マガジン内の画びょう押さえ（３４）を送り出す時にのみ画びょう押さえ（３４）を押さえながら出口方向に画びょう１個分移動させ、戻る時には画びょう押さえ（３４）にさわらない様に戻り普段は、画びょう押さえ（３４）から離れて、マガジンの回転を妨げない様に働くマガジン部画びょう送り装置。
【請求項７】
請求項６の画びょう送り装置の動きを実現するために画びょう押さえ移動板（２６）に取り付けた回転軸（２８）が本体側面に取り付けた誘導カム（２９）のつめにより画びょう押さえ移動板（２６）が本体の奥に移動する時にはそのまま水平に動き、出口方向に移動する時には誘導カム（２９）のつめにより下すなわちマガジン方向に画びょう押さえ移動板を降ろして移動させる誘導カム装置
【請求項８】
本体上部に付けてあるハンドルの横に棒を付けてそれに上、下移動直歯板（２０）をひっかけ、ハンドルをにぎったり離したりする事により、本体側部に付けたガイド（５９）に添って上、下移動直歯板（２０）が移動する事により、駆動歯車（６）を介して画びょう送りベルト（７）を動かし、同時に画びょう送り主軸（２５）を動かし更に同時にマガジン内の使用している収納列が空の時にいちばん前にせり出している画びょう押さえ（３４）についている回転用の棒にマガジン回転用器具（１７）がひっかかり、マガジンを１列分回転し、又更に画びょう送り主軸（２５）に付けられた連接棒（１４）を介して打ち込み器回転支柱を回転させる１ハンドル４動作の装置
【請求項９】
ハンドル（１８）を画びょうの打ち込みまでにぎっている途中でハンドル（１８）を離すとハンドル（１８）が戻り画びょうの２重出しとなる可能性があるのでそれを防止するハンドル戻り防止ストッパー（２１）とストッパー解除ボタン（１９）からなる装置
【発明の詳細な説明】
【０００１】
【発明の属する技術分野】
本発明は画びょうを取った後にすぐにその画びょうを打ち込む事が出来、収納した画びょうは整列してマガジンに収納されハンドルにより画びょう打ち込み器への画びょうの移動、本体内での画びょうの移動、マガジン回転の動作が同時に出来る為片手で操作でき画びょう手で持たなくても良いのでポスター貼り等で手を傷つける事のない様に考えた器具
【０００２】
【従来の技術】
従来は画びょう取り器のみで画びょう取り部と収納部からなり、収納した画びょうは蓋を開けて取り出し、手で打つ。
【０００３】
【発明が解決しようとする課題】
従来の器具にあっては、画びょうを取った後、蓋を開けて画びょうを取り出し、手で打っていたので両手を使わねばならず、手も傷つける事がある、又、能率も悪い
本発明は以上の事を解決する為になされたものである
【０００４】
【課題を解決するための手段】
上記目的を解決する為に本発明においては本体の画びょう取り部を上、下２段に分けて画びょうを取りやすくすると共に画びょう打ち器に磁石を取り付けて画びょうを打ち込むまで画びょうを保持させ、回転マガジンで画びょう収納数を増やし、ハンドルで全操作を出来る様にして片手で扱える様にし、画びょうを手で持たなくてもすむ様にしたものである
【０００５】
本発明においては、画びょう取り部を上、下２段に分け、下部ガイドレール（８）上に押し上げバネ（１１）を付け下部レールガイド（８）の間に画びょう送り兼安定板（１０）を通し、画びょう送り兼安定板（１０）に画びょう送りつめ（１２）を取り付け更につめ（１２）の横に棒を取り付けてつめ誘導クランク（１３）で動きを制御する　尚、安定板（１０）が元の位置に戻る様にバネ（１５）で戻る様にする。又、取った画びょうが外に飛び出さない様に飛び出し防止ひれ（４３）を設けてある。
【０００６】
画びょう打ち部は画びょう取り部の上部に打ち込み器回転支柱（３）（４）で回転移動できる様にし、打ち込み器（１）の先端に付けてある磁石で保持する様にし、ハンドル（１８）から連接棒（１４）を介して約８０°回転する
【０００７】
本体画びょう送りはベルト固定車（５）と（５１）で送りベルト（７）を固定し、ベルト固定車（５１）は駆動歯車（５０）とつめ（３７）で接しており、上下移動直歯板（２０）と駆動歯車（６）を介して、ベルト固定車（５１）に付けてあるつめ（３７）を介して一定方向にのみ駆動回転する
【０００８】
マガジン側画びょう送りは画びょう送り主軸（２５）、平行クランク（２７）画びょう押さえ移動板（２６）誘導カム（２９）、回転軸（２８）及び主軸（２５）に付けた直歯により駆動歯車（６）を介してハンドルからの動きを画びょう送り主軸（２５）に伝える
【０００９】
マガジン内に５列の画びょう収納列を作りそれぞれの列に画びょう押さえ（３４）を通し、安定板バネ（４９）で画びょう押さえの動きを制御し、マガジン回転巻きバネ（３１）でマガジンを回転させマガジン回転ストッパー（３０）と回転円盤（３２）とストッパー歯（３３）でマガジン回転を制御する
【００１０】
本体上部に操作ハンドル（１８）を付けハンドルの横に棒を取り付け上、下移動直歯板（２０）の穴に棒を通し、上、下移動直歯板（２０）を本体側面のガイドに通し、駆動歯車（６）と（２０）の歯がかみ合う様にし、（２０）の下面がマガジン逆回転器具（１７）を回転させる。マガジン逆回転器具（１７）はマガジン軸に固定する。又、（２０）の直歯の反対側にストッパー（２１）用の歯を付ける
【００１１】
ハンドルをにぎっている時に途中でハンドルが戻らない様に上下移動直歯板（２０）のストッパー歯にハンドルストッパー（２１）を取り付けストッパー解除ボタン（１９）でハンドルストッパー（２１）を解除する。
【００１２】
【発明の実施の形態】
発明の実施の形態を実施例にもとづき図面を参照して説明する。
図１において本体の内部構造図を示し、画びょうを取る時は、下部ガイドレール８で取った画びょうを押し上げバネ１１で上に上げて上部ガイドレール９に添ってマガジン３５まで次々と画びょうに押されて奥まで行く、画びょうを打ち込む時は、ハンドル１８をにぎることにより上下移動直歯板２０が移動し、直歯板２０に刻まれた歯により駆動歯車６が回転し、駆動歯車６に付いているもう１つの歯を介して画びょう送り主軸２５を水平移動させ主軸２５についている歯により駆動歯車５０を介して送りベルト７を１画びょう分送って先端の画びょうを１個画びょう保持器２にくっつけ、更にハンドル１８を止まるまでにぎると主軸２５に取り付けてある連接棒、１４にを介して打ち込み器回転支柱３、４を約８０°回転させて止まり、打ち込み本体１を押しながら壁に画びょうを打ち込み、ストッパー解除ボタン１９を下に押すとハンドルが戻り、その時に画びょう押さえ移動板２６により画びょう押さえ３４を画びょう１個分押し出す。
【００１３】
図３の（ａ）．は画びょうを取り込む部分の立体図を表わし、（ｂ）は、画びょうを収納している状態、（ｃ）は下部ガイドレール８を表わし、（ｄ）は下部ガイドレール８に画びょう送り兼安定板１０の装着方法を表わしている。
【００１４】
図４は画びょう取り部の画びょう取り込み状態を表わし、まず
（ａ）では壁の画びょうを下部ガイドレール８で取り込み、
（ｂ）では取り込んだ画びょうが押し上げバネ１１を押さえつつ、画びょう送り兼安定板、１０を押す、それと同時に安定板１０に付いている画びょう送りつめ１２が制御棒４４を介してつめ誘導カム１３により、上部にある画びょうを引っかけて奥に送る
（ｃ）では、壁の画びょうの軸が下部レールガイド８の画びょう止め５６により止まり、同時に画びょう送りつめ１２が誘導カム１３から離れて上に上がる
（ｄ）では壁の画びょうを本体を持ち上げて離した状態で、画びょうが壁から離れて押し上げばね１１により上部ガイドレール９の前面に押し上げられた状態。
（ｅ）では画びょう送り兼安定板１０がバネの力により元の位置に戻り、取り込んだ画びょうを保持して安定させる。同時に画びょう送りつめ１２は誘導カム１３を下に押しながら画びょうの上を画びょうにさわらない様に元に戻る。尚この時に壁から画びょうを離した時、画びょう送り兼安定板１０により画びょうが外に飛び出さない様に飛び出し防止ひれ４３で防いでいる。
【００１５】
図５はマガジン部の画びょう送り部分を表わし
（ａ）では初期状態を表わしている
（ｂ）ではハンドル１８をにぎる事により画びょう送り主軸２５が奥に水平移動し画びょう押さえ移動板２６に付いている回転軸２８が誘導カム２９を押し下げながら水平に奥に移動していく。
（ｃ）では画びょう送り主軸２５が最奥に移動した状態
（ｄ）ではハンドル１８が元の位置に戻り始める状態でそれにより画びょう送り主軸２５も元の位置に戻り始めるが回転軸２８が誘導カム２９のつめの部分に引っかかり、回転軸２８が下に押し下げられる事により画びょう押さえ移動板２６が画びょう押さえ３４を押す様に接触し、画びょう送り主軸２５が元に戻る方向に画びょう押さえ３４を画びょう１個分移動させ、画びょう押さえ２５が元に戻ったと同時に回転軸２８が誘導カムから離れる。
【００１６】
図６は、画びょう打ち込み部の動きを表している
（ａ）ではハンドル１８をにぎる前の初期状態である。
（ｂ）ではハンドル１８を少しにぎった状態でこの時までに先端にあった画びょうが送りベルトにより１個だけ画びょう保持器２にくっついて保持される。尚、連接棒１４の引っかかり部分が画びょう送り主軸２５の枠の端に引っかかるので画びょうが画びょう保持器２にくっついた後に打ち込み器回転支柱３、４が回転を始める様になっている
（ｃ）ではハンドル１８を完全ににぎった状態でこれで画びょうを打ち込む。
（ｄ）ではストッパーを解除してハンドル１８が元に戻る状態であるハンドル１８はハンドルバネ２２で戻るが打ち込み器回転支柱３も戻りバネ４５で戻る様にしてある
【００１７】
図７はマガジン部の画びょうを収納している列の画びょうが空になった後の動作の状態を表わす
（ａ）ではマガジン３５の１つの列に画びょうが１個だけの状態で上下移動直歯板２０がハンドル１８をにぎる事により下に移動するが画びょう押さえ付属棒４５が回転用器具１７の穴に入っていないのでマガジン３５は回転しない。その後ハンドル１８を戻す事により画びょう押さえ３４が残っている画びょう１個を押し出して（ｂ）の状態になる。
（ｂ）の状態でハンドル１８をにぎると上下移動直歯板２０が下に移動し、回転用器具１７の穴に画びょう押さえ付属棒４５が入っているのでマガジンが回転し、（ｃ）の状態になる。
（ｃ）では次の画びょうが満たんに入っている列が出てくる尚、画びょう押さえ付属棒は最後の画びょう押さえにはついていない。
【００１８】
図８はマガジンを横からと出口方向から見た図で２６は画びょう押さえ移動板の位置で画びょう押さえ３４はマガジンの画びょう収納列それぞれに１個あり計５個ある。又、列を水平方向に移動する。４１はマガジンカバーで４６はマガジン軸である。
【００１９】
図９は本体のマガジン収納部の前部分を立体で表わしたものである。２０は上下移動直歯板、１７は回転用器具、４１はマガジンカバーである。
【００２０】
図１０（ａ）はマガジン３５の列に画びょうが１個ある状態、（ｂ）は列の画びょうを使いきった状態の立体図である。
【００２１】
図１１は回転用器具１７でマガジンが回転する時の回転円盤３２とマガジンストッパー歯３３の動きを表わす。
（ａ）ではマガジン回転巻きバネ３１によりマガジンが回転しようとするのをマガジンストッパー歯３３とマガジン回転ストッパー３０により固定されている状態。
尚、マガジン収納列が満たんになった時に次に空の列を出す時と、収納列が空になって次の満たんの列を出す時のマガジンの回転方向は逆となる。
（ｂ）では回転用器具１７の回転によりマガジンストッパー歯３３とマガジン回転ストッパー３０のかみ合っている方向と逆方向に回転する。
（ｃ）、（ｄ）ではマガジンストッパー歯３３の斜面とマガジン回転ストッパー３０の斜面ですべり、逆回転の妨げとならない。
（ｅ）では回転用器具の回転が止まった時であるがマガジンストッパー歯３３とマガジン回転ストッパー３０がかみ合っているので安定して回転が止まる。
【００２２】
図１２は送りベルトと駆動歯車及び画びょう送り主軸２５の立体図で画びょう送り主軸２５がハンドル１８をにぎる時奥に移動する時に駆動歯車５０の内側に刻まれた歯と回転つめ３７及び、回転制御バネ１６により駆動歯車５１を画びょうを外に出す方向にのみ回転させる。
【００２３】
図１３はマガジン３５内部とそれぞれのストッパーの状態を表わし、
（ａ）では、画びょうを収納している時にその収納列があと１個の画びょうを収納できる状態である。
（ｂ）では、収納列の最後の１個を収納している途中で画びょうが画びょう押さえ３４を押してそれによりマガジン回転ストッパー３０とマガジンストッパー歯３３が離れた瞬間である。
（ｃ）ではストッパーどうしが離れたのでマガジン回転巻きバネにより図の奥の方にマガジンが回転し、マガジン回転ストッパー３０がバネ５２により元の位置に戻り、次の列のマガジンストッパー歯３３とかみ合って止まり、次の空の列となる。
尚、マガジンカバー４１に付けてある調整板５２と画びょう押さえ３４に付いている調整器５３により画びょうが収納列に満たんになって回転した時に画びょう押さえ３４が画びょうと共にわずかに出口方向に移動して、その次に満たんの状態の列が戻ってきてもストッパーがはずれない様にマガジン３５の長さとマガジンカバー４１にわずかのすきまを設けた。
【００２４】
図１４（ａ）〜（ｆ）は画びょう打ち込み時にベルト部の画びょう送りはハンドル１８のにぎりで動作し、マガジン部の画びょうの送りはハンドル１８の戻りで動作する事により画びょうの流れのすき間を防止する説明である。
（ａ）まずマガジン３５内の画びょうが残り１個になった時で、この状態からハンドル１８をにぎり始める。
（ｂ）はハンドルをにぎった時で送りベルト７が回転しベルト部の画びょうが１個分送られる。その時マガジン部の画びょう押さえ移動板２６は奥に移動するがマガジン内の画びょうは移動しない。
（ｃ）はハンドルを戻した時で送りベルト部の画びょうはそのままで、マガジン送り部の画びょう押さえ移動板２６が画びょう押さえ３４を押さえながらマガジン部からベルト部に残った画びょうを押し出す。
（ｄ）はマガジン内の収納列の画びょうを使いきった後にハンドルをにぎり始める状態である。
（ｅ）は（ｄ）の後にハンドルをにぎった状態でベルト側の画びょうが１個分進み、同時に回転用器具１７に画びょう押さえ付属棒４５が引っかかってマガジン３５が回転し、次の画びょうの満たんになっている列が固定された状態である。
（ｆ）は（ｅ）の後にハンドルを戻した状態でマガジン部の画びょうが画びょう押さえ移動板２６によりマガジン部からベルト部へ画びょう１個分送られる。
この様にベルト部とマガジン部に画びょう送りを分けて、マガジン部の画びょう送りの動作をマガジンの回転の後にする事により画びょうの流れにすき間ができない。
【００２５】
図１５はハンドル１８の戻り防止機構を表わしたもので、ハンドル１８をにぎっている途中でハンドル１８が戻ってしまうと画びょうの２重送りになってしまうのを防止する機構である。
（ａ）はハンドル１８をにぎる前の状態で、ここからハンドル１８をにぎり始めると上下移動直歯板２０の横に刻んである歯が下に移動できる様に斜めに刻んであるので下には行くが上には戻らない様になっている。
（ｂ）はハンドル１８を完全ににぎった状態でこの後に画びょうを打ち込む。
（ｃ）は画びょうを打込んだ後にストッパー解除ボタン１９を押した状態でストッパー解除ボタン１９につながっているストッパー解除レバー５７が戻り防止ストッパー２１のひれを押して戻り防止ストッパー２１に付いているつめがストッパー押さえ２３に引っかかる。
（ｄ）はストッパー押さえ２３に戻り防止ストッパー２１が引っかかり奥に行ってしまったのでハンドル１８は妨げがなくなり、バネ２２により元の位置に戻る。その後ハンドル１８といっしょに回転するストッパー戻し２４の突きがストッパー押さえ２３に引っかかって上に押し上げ、戻り防止ストッパー２１のつめからストッパー押さえ２３を離し、戻り防止ストッパー２１はバネにより（ａ）の状態に戻る。
【００２６】
【発明の効果】
画びょうを取る時にマガジンが自動的に回転するので容量内であれば次々に画びょうを取る事が出き、この器具では最大６０個までマガジン交換する必要がない。
【００２７】
画びょうを打ち込む時、この器具では最大６０個までマガジンを交換しなくてすむ。
【００２８】
ハンドルをにぎるだけで画びょう打ち込み状態になるので片方の手でポスター等を押さえられる。又、画びょうに手を触れなくてもよいので手を傷つける心配がない。
【図面の簡単な説明】
【図１】本体及びマガジンの内部機構を示す図である。
【図２】本体及びマガジンの３面図である。
【図３】画びょう取り部の立体図（ａ）と画びょうの収納状態（ｂ）及び下部レールガイド（ｃ）と画びょう送り兼安定板１０の装着状態（ｄ）を表わす図である。
【図４】画びょう取り部の画びょうを取る時の画びょうの動きを表わす流れ図（ａ）〜（ｅ）である。
【図５】マガジン部の画びょう送り装置のハンドル１行程分の動きを表わす流れ図（ａ）〜（ｄ）である。
【図６】ハンドルの１行程分の画びょう打ち込み部の動きを表わす流れ図（ａ）〜（ｄ）である。
【図７】マガジンの収納列が空になった時とその後のマガジンの画びょう押さえ３４と回転用器具１７と、マガジンの回転状況を表わす流れ図（ａ）〜（ｃ）である。
【図８】マガジンを出口側からと横から見た図である。
【図９】本体中央部附近のマガジン取付部をななめ後ろから見た図である。
【図１０】マガジン内の画びょう押さえ３４と画びょう及び回転用器具１７の状態を表わす図である。
【図１１】回転用器具１７でマガジンが回転する時のマガジン回転ストッパー３０とマガジンストッパー歯３３の状態を表わす流れ図である。
【図１２】ベルト駆動部の画びょう送り主軸２５と駆動歯車５０及び駆動歯車５１の状態を表わす立体図である。
【図１３】マガジン収納列の画びょうが満たんになった時の画びょう押さえ（３４）とマガジン回転ストッパー３０とマガジンストッパー歯３３の状態とその流れ図（ａ）〜（ｃ）である。
【図１４】画びょうを打ち込んでいる時のベルト部とマガジン部の画びょうの動きを表わす図である。
【図１５】ハンドルの戻りを防止するストッパーの動きを表わす図である。
【符号の説明】
１　打ち込み器
２．画びょう保持器
３，４．打ち込み器回転支柱
５　ベルト保持車
６，５０，５１　駆動歯車
７　送りベルト
８　下部レールガイド
９　上部レールガイド
１０　画びょう送り兼安定板
１１　押し上げバネ
１２　画びょう送りつめ
１３，２９．誘導カム
１４　連接棒
１５　２２　３８　３９　４５　４７　４８　５５　５８　戻りバネ
１６　回転制御バネ
１７　回転器具
１８　ハンドル
１９　ストッパー解除ボタン
２０　上下移動直歯板
２１　戻り防止ストッパー
２３　ストッパー押さえ
２４　ストッパー戻し
２５　画びょう送り主軸
２６　画びょう送り移動板
２７　水平クランク
２８　回転軸
３０　マガジン回転ストッパー
３１　マガジン回転巻きバネ
３２　回転円盤
３３　マガジンストッパー歯
３４　画びょう押さえ
３５　マガジン
３６　マガジン保持軸
３７　つめ
４０　クランク動作みぞ
４１　マガジンカバー
４２　ゴム
４３　画びょう飛び出し防止ひれ
４４　制御棒
４６　マガジン軸
４９　止め具
５２　調整板
５３　調整器
５４　支持台
５６　マガジンストッパー
５７　ストッパー解除レバー
５９　画びょう押さえ付属棒
６０　押さえバネ
６１　本体カバー
【図１】
2004114672.tif 000003
【図２】
2004114672.tif 000004
【図３】
2004114672.tif 000005
【図４】
2004114672.tif 000006
【図５】
2004114672.tif 000007
【図６】
2004114672.tif 000008
【図７】
2004114672.tif 000009
【図８】
2004114672.tif 000010
【図９】
2004114672.tif 000011
【図１０】
2004114672.tif 000012
【図１１】
2004114672.tif 000013
【図１２】
2004114672.tif 000014
【図１３】
2004114672.tif 000015
【図１４】
2004114672.tif 000016
【図１５】
2004114672.tif 000017